(57)【要約】  回転外側カラーを装備した流体継手は、キー溝またはスロットと係合して外側カラーの回転を防止するキーまたはタブを含む。【選択図】図１
2009536077.tif 000002
【特許請求の範囲】
【請求項１】
医療／外科用システムのコンソール部と共に使用するための流体継手システムであって、前記流体継手システムが、
少なくとも１つのスロットを含む中心雄本体部と、
少なくとも１つのキーを含む、前記中心雄本体部を取り囲みその周りを回転するように構成し配置したスリーブとを備え、
それによって、組み立て時、前記キーが前記スロットと確実に係合して前記スリーブの回転を防止する流体継手システム。
【請求項２】
医療／外科用システムのコンソール部と共に使用するための流体継手システムであって、前記流体継手システムが、
１組の対向する弓形スロットを含む設置ブロックと、
１組の対向する弓形タブとを含む、前記設置ブロックに係合するように構成し配置した回転スリーブとを備え、
それによって、組み立て時、前記回転スリーブ上の前記１組の対向するタブが、前記設置ブロック上の前記１組の対向する設置ブロックと確実に係合して前記回転スリーブの回転を防止する流体継手システム。
【請求項３】
高速接続／切断流体継手の外側スリーブ部の回転を防止する方法であって、前記方法が、
前記高速接続／切断流体継手の中心雄本体に少なくとも１つのスロットを形成するステップと、
前記高速接続／切断流体継手のスリーブ部に少なくとも１つのキーを形成するステップとを備え、
それによって前記スリーブ部が、前記キーと前記スロットとの係合することによって前記中心雄本体部の周りを回転しなくなる方法。
【請求項４】
流体マニホールドと係合するように構成された高速接続／切断流体継手の外側スリーブ部の回転を防止する方法であって、前記方法が、
前記流体マニホールドに少なくとも１つの弓形スロットを形成するステップと、
前記高速接続／切断流体継手の前記外側スリーブ部に少なくとも１つの弓形タブを形成するステップとを備え、
それによって、少なくとも１つの前記弓形タブが少なくとも１つの前記弓形スロットと係合するときに、前記高速接続／切断流体継手の前記外側スリーブ部が回転しない方法。
【発明の詳細な説明】
【技術分野】
【０００１】
本発明は、液体、空気または他の気体の流れを導くために使用する流れ管路を接続する継手システムに関し、特に、開示する継手システムは、１つの医療／外科用機器の制御コンソール部に加圧空気または気体が流入する通路となるハンドピースまたはプローブを接続するために使用する空気圧継手システムに関する。
【背景技術】
【０００２】
開示する発明は、硝子体切除システムで使用する空気圧継手システムに関して説明するが、開示する発明の有用性は、制御コンソールに関連する何らかの気体または液体の流れについて高速接続／切断継手（簡便に接属、接属解除できる継手）が使用される適用業務全体に及ぶことを当業者は理解するだろう。
【０００３】
例えば、コール・パルマー・インスツルメント社（Ｃｏｌｅ−Ｐａｌｍｅｒ  Ｉｎｓｔｒｕｍｅｎｔ  Ｃｏｍｐａｎｙ）が製造するものや、コールダー・プロダクツ社（Ｃｏｌｄｅｒ  Ｐｒｏｄｕｃｔｓ）が製造するもののように、現在利用可能な非常に広範な先行技術の高速接続／切断空気圧継手が存在している。現在利用可能な高速接続／切断空気圧継手の多くは回転外側スリーブを含んでいる。
【０００４】
本発明と同様の高速接続／切断空気圧継手を記載したいくつかの特許が存在する。しかし、以下の段落に記載する先行技術の継手システムは複雑で、硝子体切除システムのような医療／外科用システムで使用するには適していない。
【０００５】
特許文献１は、流体処理システムのためのコネクタを記載している。雄コネクタ保持要素は本体フランジであり、雌コネクタ保持要素は１対の径方向に対向する保持器を含む。
【０００６】
特許文献２は、ホースと共に使用する高速継手システムを記載している。ホースの端部は、締め付けリングを有し、実際に組み合わされる継手にねじ込まれ、緊密な接続を保証する。
【０００７】
特許文献３は、流体フィッティング継手を記載している。雌フィッティング組立体は、内向きに突出した保持リップを有し、雄フィッティング組立体は外向きに突出したフランジを有する。雄雌両方のフィッティングを係合させてその一方を中心軸に沿ってひねることで、開始した継手システムはホース端部間の緊密な結合を提供する。
【０００８】
一部の適用業務では、高速接続／切断空気圧継手の回転外側スリーブが有害であることが分かっている。高速接続／切断空気圧継手から回転外側スリーブを除去するという問題を解決するため、１つの解決法は、回転スリーブに係合する押し込み式コンソール係留ピン（押し込んでコンソールに係留させるピン）を追加することである。押し込み式コンソール係留ピンはスリーブが高速接続／切断空気圧継手の周囲で回転することを機械的に防止する。押し込み式コンソール係留ピンの使用は、ユーザが片手で、消耗品であるチューブコネクタ（本体部分）をコンソール継手インサートに接続できるようにするという利点を提供する。押し込み式コンソール係留ピンの使用は満足すべき結果を提供したが、コンソール係留ピンの使用は、高速接続／切断空気圧継手の無線周波数識別（ＲＦＩＤ）と干渉するという重大な欠点を有することが判明した。
【０００９】
当業技術分野では、非回転外側スリーブを装備した高速接続／切断空気圧継手を提供する必要が存在している。さらに、当業技術分野では、コンソール係留ピンを除去して、高速接続／切断空気圧継手のＲＦＩＤとの干渉の発生源となり得るものを取り除く必要が存在している。
【００１０】
【特許文献１】米国特許第６，４４３，４９６Ｂ２号公報
【特許文献２】米国特許第６，２６４，２４８Ｂ１号公報
【特許文献３】米国特許第５，７９９，９８７号公報
【発明の開示】
【００１１】
開示する流体継手システムは、従来の継手システムの欠点を除去する非回転外側スリーブを提供する。
【００１２】
開示する流体インライン高速接続／切断流体継手のインサート部には、流体継手の外側部がその中心軸に沿って回転するのを防止するラッチ機能を有する外側スリーブが存在する。このラッチ機能の設計は２つの構成を有する。第１の構成は、組み合わされる本体部分のスロットと係合する外側スリーブ上の１つ以上のキーを含む。第２の構成は、後部設置プレートまたは流体マニホールドと係合する外側スリーブ上の１つ以上のタブを含む。
【００１３】
本発明の流体継手システムのよりよい理解は、図面を参照することによって得られるだろう。
【発明を実施するための最良の形態】
【００１４】
図１は、本発明の高速接続／切断継手１０の中心雄本体部に形成したスロット１２またはキー溝との、外側回転スリーブ１３上のキー１４の係合を示す。高速接続／切断継手１０の回転外側スリーブ１３は、１つ以上の対向するキー１４を含む。中心雄本体部分１１は１つ以上のスロットまたはキー溝１２を有する。継手１０を組み立てる際、キー１４はスロット１２に入り込んで確実な係合を提供する。キー１４がスロット１２と係合するため、回転外側スリーブ１３は継手１０の周囲で回転しない。
【００１５】
図２および図３は、開示する発明のスリーブにタブが付いたバージョン５０を示す。この実施形態５０では、回転外側スリーブ２６は、スリーブ自体から延びる１組の少なくとも１つのタブ２９を有する。空気圧マニホールド１００の設置ブロックは、１組の少なくとも１つの平坦な表面の弓形スロット２７を有する。組み立ての際、各タブ２９は弓形スロット２７に挿入され、継手５０と空気圧マニホールド１００との間の確実な係合を提供する。
【００１６】
図３は、継手のスリーブにタブが付いたバージョン５０の透視図である。空気圧マニホールド１００中の弓形スロット２７とのタブ２９の係合によって、回転スリーブ２６が高速接続／切断継手５０の中心軸の周りを回転するのが防止される。
【００１７】
キーおよびキー溝による実施形態またはタブおよびスロットによる実施形態に関して本発明を説明したが、上記の開示によって他の実施形態も可能になったことを当業者は理解するだろう。こうした他の実施形態は添付の請求項の範囲および意味に包含されるものとする。
【図面の簡単な説明】
【００１８】
【図１】本発明の流体継手システムのスリーブにキーが付いたバージョンの流体継手システムの斜視図である。
【図２】後部設置プレートまたは流体マニホールドに接続した、スリーブにタブが付いたバージョンの部分断面側面図である。
【図３】図２に示す流体継手システムのスリーブにタブが付いたバージョンの斜視図である。
【図１】
2009536077.tif 000003
【図２】
2009536077.tif 000004
【図３】
2009536077.tif 000005
【国際調査報告】
2009536077.tif 000006